(57)【要約】      （修正有）【課題】溝切手段の上部や後部の開口から内部への泥の浸入を遮断して溝切手段が重くなることを防止し、推進や旋回などの作業効率の低下を抑制する溝切機を提供する。【解決手段】機体正面視でＶ字型の断面形状をなす左右一対の傾斜面３０Ｌ，３０Ｒからなる舟型の溝切手段３０を圃場の泥に押し付けつつ推進させて溝を形成する溝切機において、溝切手段３０は、左右一対の傾斜面３０Ｌ，３０Ｒの上部および後部の開口をそれぞれ塞ぐ遮断面３０Ｂ，３０Ｃを備える。【選択図】図３
0003165084.tif 000002
【実用新案登録請求の範囲】
【請求項１】
機体正面視でＶ字型の断面形状をなす左右一対の傾斜面からなる舟型の溝切手段を圃場の泥に押し付けつつ推進させて溝を形成する溝切機において、
上記溝切手段は、上記左右一対の傾斜面の上部および後部の開口をそれぞれ塞ぐ遮断面を備えることを特徴とする溝切機。
【請求項２】
遮断面は、２枚の板状部材からなることを特徴とする請求項１記載の溝切機。
【請求項３】
遮断面は、溝切手段の内部に充填された発泡合成樹脂に形成されることを特徴とする請求項１記載の溝切機。
【請求項４】
溝切手段は、左右一対の傾斜面の下部に底面を備えることを特徴とする請求項１記載の溝切機。
【考案の詳細な説明】
【技術分野】
【０００１】
この考案は、水を張った田んぼに溝を形成する溝切機の分野に係るものである。
【背景技術】
【０００２】
溝切機は、苗が活着した後の圃場の植付け条間において、舟型の溝切手段を泥に沈めつつ推進させ、溝を形成するものである。溝切手段が形成した溝は水路となって通水・落水がスムーズになり、中干しの容易化や除草効果の他、泥から有害ガスが抜けて苗の根腐れや生育停滞を防止できる等といったメリットが得られる。
【０００３】
特許文献１に開示された従来の溝切機では、推進方向前方に駆動手段が、後方に溝切手段が、駆動手段と溝切手段との間に搭乗手段がそれぞれ設けられている。そして、左右対称の傾斜面および底面からなる舟型の溝切手段を、搭乗手段にまたがった作業者の体重で地中に沈め、駆動手段の牽引により推進させる。こうして、各植付け条間での推進と圃場端での旋回とを繰り返しながら、断面Ｖ字状の溝を圃場全体に幾筋も形成していく。
【先行技術文献】
【特許文献】
【０００４】
【特許文献１】特開２００６−０１６８７０号公報（第５頁、図１〜３）
【考案の概要】
【考案が解決しようとする課題】
【０００５】
従来の溝切機は、左右一対の傾斜面および底面で溝切手段を構成しているので、溝切手段の上部や後部の開口から内部へ泥が浸入して溝切手段が重くなってしまい、推進や旋回などの作業効率が低下してしまうという課題があった。
【０００６】
この考案は上記の課題を解決するもので、溝切手段の上部や後部の開口から内部への泥の浸入を遮断して溝切手段が重くなることを防止し、推進や旋回などの作業効率の低下を抑制することを目的とする。
【課題を解決するための手段】
【０００７】
この考案に係る溝切機は、機体正面視でＶ字型の断面形状をなす左右一対の傾斜面からなる舟型の溝切手段を圃場の泥に押し付けつつ推進させて溝を形成する溝切機において、溝切手段は、左右一対の傾斜面の上部および後部の開口をそれぞれ塞ぐ遮断面を備えるようにしたものである。
【０００８】
この考案に係る溝切機は、遮断面は、板状部材からなるようにしたものである。
【０００９】
この考案に係る溝切機は、遮断面は、溝切手段の内部に充填された発泡合成樹脂に形成されるようにしたものである。
【００１０】
この考案に係る溝切機は、溝切手段は、左右一対の傾斜面の下部に底面を備えるようにしたものである。
【考案の効果】
【００１１】
以上のように、この考案によれば、機体正面視でＶ字型の断面形状をなす左右一対の傾斜面からなる舟型の溝切手段を圃場の泥に押し付けつつ推進させて溝を形成する溝切機において、溝切手段は、左右一対の傾斜面の上部および後部の開口をそれぞれ塞ぐ遮断面を備えるようにしたので、溝切手段が圃場の泥の中を推進していっても、溝切手段の後部や上部の開口から内部への泥の浸入が遮断面で遮断されるようになり、溝切手段が重くなることを防止でき、推進や旋回などの作業効率の低下を抑制できるという効果が得られる。
【００１２】
この考案によれば、遮断面は、２枚の板状部材からなるようにしたので、遮断面が溝切手段を補強し、溝切手段の強度を向上できるとともに、溝切手段を容易に製造できるという効果が得られる。
【００１３】
この考案によれば、遮断面は、溝切手段の内部に充填された発泡合成樹脂に形成されるようにしたので、軽量かつ整形が容易で、弾力性や衝撃吸収性に優れる発泡合成樹脂を用いて溝切手段の遮断面を実現することにより、内部の発泡合成樹脂が溝切手段を補強し、溝切手段の強度を向上できるとともに、溝切手段を容易に製造できるという効果が得られる。
【００１４】
この考案によれば、溝切手段は、左右一対の傾斜面の下部に底面を備えるようにしたので、溝切手段が圃場の泥に過度に沈みにくくなり、溝切手段に対する泥の抵抗が増大するのを防止し、作業効率の低下を抑制できるという効果が得られる。
【図面の簡単な説明】
【００１５】
【図１】この考案の実施の形態１による溝切機の外観を示す図である。
【図２】この考案の実施の形態１による溝切機の溝切手段の構成を示す図である。
【図３】この考案の実施の形態１による溝切機の溝切手段の構成を示す図である。
【図４】この考案の実施の形態１による溝切機の溝切手段の変形例を示す図である。
【考案を実施するための形態】
【００１６】
以下、図面を参照しつつ、この考案の実施の形態を詳細に説明する。なお、各図面では、同一の構成または相当する構成については同一の符号を付す。
実施の形態１．
図１はこの考案の実施の形態１による溝切機の外観を示す図である。
【００１７】
図１において、１０は駆動手段、２０は搭乗手段、３０は舟型の溝切手段であり、溝切機の推進方向前方に駆動手段１０が、後方に溝切手段３０が、駆動手段１０と溝切手段３０との間に搭乗手段２０がそれぞれ設けられている。また、１１はエンジン、１２は動力伝達系、１３はギアボックス、１４は滑り止め１４Ｎを備えた車輪、２１はフレーム、２２はスタンド、２３はサドル、２４はカバー、２５はハンドルである。
【００１８】
図２および図３はそれぞれこの考案の実施の形態１による溝切機の溝切手段３０の構成を示す図であり、図２は溝切手段３０を左側後部から俯瞰した透視図、図３（ａ）は溝切手段３０を真後ろから俯瞰した透視図、図３（ｂ），（ｃ）は溝切手段３０の左側面図および背面図をそれぞれ表している。
【００１９】
図２，図３において、３０Ｌ，３０Ｒは左右一対の傾斜面、３０Ｅは圃場の泥に溝を形成する溝切刃、３０Ｆは溝切手段３０下部の底面、３０Ｊはフレーム２１と溝切手段３０とを連結する連結部、３０Ｂ，３０Ｃはそれぞれ溝切手段３０の後部および上部の開口を塞ぐ板状部材の遮断面である。
【００２０】
傾斜面３０Ｌ，３０Ｒは機体正面視でＶ字型の断面形状をなして舟型の溝切手段３０を構成しており、溝切手段３０の前部には溝切刃３０Ｅが形成されている。また、溝切手段３０が泥へ過度に沈むのを抑制するため、圃場の耕盤と平行な底面３０Ｆを溝切手段３０の下部に設けている。そして、この実施の形態１は、傾斜面３０Ｌ，３０Ｒおよび底面３０Ｆとともに遮断面３０Ｂ，３０Ｃにより溝切手段３０を構成している点に特徴がある。
【００２１】
次に使用方法について説明する。作業者がサドル２３にまたがると、作業者の体重がかかって溝切手段３０が圃場の泥に沈む。ここでエンジン１１を始動すると、その動力が動力伝達系１２およびギアボックス１３により車輪１４へ伝わって溝切機を推進し、連結部３０Ｊを介してフレーム２１と連結した溝切手段３０が牽引される。作業者は圃場端で溝切機を旋回させつつ、各植付け条間を両足で機体バランスを取りながら溝切機を推進させていき、溝切手段３０の溝切刃３０ＥによりＶ字型の断面形状の溝を圃場全体の泥に形成していく。
【００２２】
ここで、前述したように、溝切手段３０の後部および上部の開口に遮断面３０Ｂ，３０Ｃをそれぞれ設けているので、溝切手段３０が圃場の泥の中を推進していっても、溝切手段３０の後部や上部の開口から内部への泥の浸入が遮断面３０Ｂ，３０Ｃで遮断されるようになり、溝切手段３０が重くなることを防止でき、推進や旋回などの作業効率の低下を抑制することができる。
【００２３】
加えて、２枚の板状部材の遮断面３０Ｂ，３０Ｃにより溝切手段３０を構成しているので、遮断面３０Ｂ，３０Ｃが溝切手段３０を補強し、溝切手段３０の強度を向上することができるとともに、溝切手段３０を容易に製造できる。
【００２４】
なお、板状部材の遮断面３０Ｂ，３０Ｃの代わりに、図４に示すように、発泡スチロールなどの発泡合成樹脂３１を溝切手段３０の内部に充填し、この発泡合成樹脂３１に遮断面３１Ｃ，３１Ｂを形成しても良い。軽量かつ整形が容易で、弾力性や衝撃吸収性に優れる発泡合成樹脂３１を用いて溝切手段３０の遮断面３１Ｃ，３１Ｂを実現することにより、内部の発泡合成樹脂３１が溝切手段３０を補強し、溝切手段３０の強度を向上できるとともに、溝切手段３０を容易に製造できる。
【００２５】
また、この実施の形態１は、エンジン１１の動力により溝切手段３０を推進する乗用型タイプに限定されず、作業者自身の力により溝切手段３０を推進するタイプなどにも適用可能である。溝切手段３０の推進は牽引に限定されず、泥の中を押し進める手法でも良い。
【００２６】
さらに、底面３０Ｆは溝切手段３０に必須の構成要素ではないが、溝切手段３０の下部に底面３０Ｆを備えることにより、溝切手段３０が圃場の泥に過度に沈みにくくなり、溝切手段３０に対する泥の抵抗が増大するのを防止し、作業効率の低下を抑制できる。
【符号の説明】
【００２７】
１０  駆動手段、１１  エンジン、１２  動力伝達系、１３  ギアボックス、１４  車輪、１４Ｎ  滑り止め、２０  搭乗手段、２１  フレーム、２２  スタンド、２３  サドル、２４  カバー、２５  ハンドル、３０  溝切手段、３０Ｌ，３０Ｒ  傾斜面、３０Ｅ  溝切刃、３０Ｆ  底面、３０Ｊ  連結部、３０Ｂ，３０Ｃ，３１Ｂ，３１Ｃ  遮断面、３１  発泡合成樹脂。
【図１】
0003165084.tif 000003
【図２】
0003165084.tif 000004
【図３】
0003165084.tif 000005
【図４】
0003165084.tif 000006